【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  原画像を表示する単一の画像表示素子と、
前記画像表示素子からの光を瞳の近傍に配置される観察者の左右の眼に導く左眼用光学系および右眼用光学系とを有し、
前記画像表示素子から前記瞳に進む光を前記瞳側から逆トレースしたとき、前記左眼用光学系および前記右眼用光学系がそれぞれ、
前記瞳からの逆トレース光を、前記左眼用光学系及び前記右眼用光学系の中心軸から離れる方向に反射する第１の反射面と、
前記第１の反射面で反射した逆トレース光をさらに前記中心軸から離れる方向に反射する第２の反射面とを有することを特徴とする画像表示装置。
【請求項２】  前記左眼用光学系および前記右眼用光学系が、前記画像表示素子の中心を通る垂直面に対して左右で鏡面対称となるように構成されていることを特徴とする請求項１に記載の画像表示装置。
【請求項３】  前記左眼用光学系および前記右眼用光学系がそれぞれ、水平面に対して上下で面対称となるように構成されていることを特徴とする請求項１に記載の画像表示装置。
【請求項４】  前記左眼用光学系および前記右眼用光学系がそれぞれ、前記第１および第２の反射面を含む複数の反射面を有し、
前記複数の反射面のうち少なくとも１つの反射面が偏心曲面であることを特徴とする請求項１に記載の画像表示装置。
【請求項５】  前記左眼用光学系および前記右眼用光学系がそれぞれ、前記第１および第２の反射面を含む複数の反射面を有し、
前記複数の反射面のうち少なくとも１つの反射面が回転非対称面であることを特徴とする請求項１に記載の画像表示装置。
【請求項６】  前記左眼用光学系および前記右眼用光学系内において、前記画像表示素子からの光が中間結像することを特徴とする請求項１に記載の画像表示装置。
【請求項７】  前記左眼用光学系および前記右眼用光学系がそれぞれ、
前記第２の反射面で反射した逆トレース光を再度、前記第２の反射面で反射させるように反射して戻す折返し反射面を有することを特徴とする請求項１に記載の画像表示装置。
【請求項８】  原画像を表示する単一の画像表示素子と、
前記画像表示素子からの光を観察者の左右の眼に導く左眼用光学系および右眼用光学系とを有し、
前記左眼用光学系および前記右眼用光学系がそれぞれ、
前記画像表示素子からの光を反射する第１の反射面と、
前記第１の反射面で反射した光を再度、前記第１の反射面で反射させるように反射して戻す第２の反射面とを有することを特徴とする画像表示装置。
【請求項９】  前記左眼用光学系および前記右眼用光学系が、前記画像表示素子の中心を通る垂直面に対して左右で鏡面対称となるように構成されていることを特徴とする請求項８に記載の画像表示装置。
【請求項１０】  前記左眼用光学系および前記右眼用光学系がそれぞれ、水平面に対して上下で面対称となるように構成されていることを特徴とする請求項８に記載の画像表示装置。
【請求項１１】  前記左眼用光学系および前記右眼用光学系がそれぞれ、前記第１および第２の反射面を含む複数の反射面を有し、
前記複数の反射面のうち少なくとも１つの反射面が偏心曲面であることを特徴とする請求項８に記載の画像表示装置。
【請求項１２】  前記左眼用光学系および前記右眼用光学系がそれぞれ、前記第１および第２の反射面を含む複数の反射面を有し、
前記複数の反射面のうち少なくとも１つの反射面が回転非対称面であることを特徴とする請求項８に記載の画像表示装置。
【請求項１３】  前記左眼用光学系および前記右眼用光学系内において、前記画像表示素子からの光が中間結像することを特徴とする請求項８に記載の画像表示装置。
【請求項１４】  前記左眼用光学系および前記右眼用光学系がそれぞれ、透明体に前記第１および第２の反射面を一体形成したプリズム状の光学素子を有して構成されており、
前記光学素子の少なくとも１つの光学面が、内部全反射と透過との両作用を兼用させた面であることを特徴とする請求項８に記載の画像表示装置。
【請求項１５】  前記原画像の中心から瞳の中心に至る光線を中心画角主光線とするとき、
前記第１の反射面で反射された中心画角主光線が前記第２の反射面に入射し、第２の反射面で反射されて再度、前記第１の反射面に向かう際の前記第２の反射面への入射光線と射出光線とのなす角度θが、
θ＜４５°
なる条件を満足することを特徴とする請求項８に記載の画像表示装置。
【請求項１６】  請求項１から１５のいずれかに記載の画像表示装置と、前記画像表示素子に原画像を表示させるための画像情報を前記画像表示装置に供給する画像情報供給装置とを有することを特徴とする画像表示システム。
【手続補正２】
【補正対象書類名】明細書
【補正対象項目名】０００９
【補正方法】変更
【補正の内容】
【０００９】
図１７には、特許文献５にて開示されているヘッドマウントディスプレイの構成を示している。イメージインテンシファイア等の原画像を表示する物体源２０１の凸面状表示面２０２から射出された画像光は、光学素子２０４にその透過領域２０５から入射し、同光学素子２０４の反射膜形成部２０８で反射又は透過部２０７で内部反射して、反射膜が形成された凹面鏡部２０３で反射し、透過部２０７より射出する。光学素子２０４を射出した光はメニスカスレンズ１０を通って観察者の両眼Ｅ１，Ｅ２に導かれる。
【手続補正３】
【補正対象書類名】明細書
【補正対象項目名】００２０
【補正方法】変更
【補正の内容】
【００２０】
【課題を解決するための手段】
上記の目的を達成するために、本願第１の発明の画像表示装置は、原画像を表示する単一の画像表示素子と、画像表示素子からの光を瞳の近傍に配置される観察者の左右の眼に導く左眼用光学系および右眼用光学系とを有し、画像表示素子から瞳に進む光を瞳側から逆トレースしたとき、左眼用光学系および右眼用光学系がそれぞれ、瞳からの逆トレース光を、左眼用光学系及び右眼用光学系の中心軸から離れる方向に反射する第１の反射面と、第１の反射面で反射した逆トレース光をさらに上記中心軸から離れる方向に反射する第２の反射面とを有している。
【手続補正４】
【補正対象書類名】明細書
【補正対象項目名】００２２
【補正方法】変更
【補正の内容】
【００２２】
また、本願第２の発明の画像表示装置は、原画像を表示する単一の画像表示素子と、画像表示素子からの光を観察者の左右の眼に導く左眼用光学系および右眼用光学系とを有し、左眼用光学系および右眼用光学系がそれぞれ、画像表示素子からの光を反射する第１の反射面と、第１の反射面で反射した光を再度、第１の反射面で反射させるように反射して戻す第２の反射面とを有する。
【手続補正５】
【補正対象書類名】明細書
【補正対象項目名】０１３０
【補正方法】変更
【補正の内容】
【０１３０】
なお、本実施形態のように、画像表示素子４１が光学系４２，４３に対して観察者側にやや迫り出す場合は、図１４に点線で示した位置で、中心画角主光線を含む水平面（図の紙面）から外れる方向に光路を折り曲げてもよい。
【手続補正６】
【補正対象書類名】明細書
【補正対象項目名】０１４７
【補正方法】変更
【補正の内容】
【０１４７】
【表１】
2004184773.tif 000001
【手続補正７】
【補正対象書類名】明細書
【補正対象項目名】０１５８
【補正方法】変更
【補正の内容】
【０１５８】
【表３】
2004184773.tif 000002